(57)【特許請求の範囲】
【請求項１】
細長いハウジング（２，３）、
前記ハウジング内のランセット（５）、
前記ハウジングの前方端に向けて前記ランセットを付勢するバネ手段、および
前記ハウジングにより担持されたトリガ（９）を含み、
前記ランセット（５）はバネ手段の付勢に対して初期休止位置から後方へコック位置に向けて移動可能であり、前記ランセットはコック位置から解放されて針の尖端を瞬時に前記ハウジングの前方端に形成された貫通孔（８）へ突出させ、
前記トリガ（９）は、前記ランセットの初期休止位置のときに第一モードにおいて作動可能に前記ランセットと係合して前記ランセットの初期休止位置からの前方移動を制限するがコック位置への前記ランセットの後退を可能にし、かつ前記ランセットがコック位置のときに第二モードにおいて作動可能であって前記トリガの作動が前記ランセットを解放するまでコック位置に前記ランセットを保持する、スキンプリッカ。
【請求項２】
前記ランセット（５）は、前記トリガとラチエット式作動により係合可能であり、前記ランセットがコック位置に移動するときに前記トリガ上に形成された歯（１０）を越えて前記トリガに係止する、請求項１に記載のスキンプリッカ。
【請求項３】
前記トリガ上の歯（１０）は、前記ランセット上に形成された突起（１３）と共働して前記ランセットの初期休止位置から前方への移動を停止させるが、前記トリガが作動して前記ランセットを発射させるときに前記歯（１０）は前記突起（１３）から上昇して前記ランセットの前方移動を可能にする、請求項２に記載のスキンプリッカ。
【請求項４】
取外可能キャップ（７）が、初期に、前記ランセットの針の尖端を覆いかつ前記ハウジングの前方端の貫通孔（８）を貫通していて、前記ランセットをその初期休止位置からコック位置へ押すことのできる手段として作用する、請求項１から３のいずれか１に記載のスキンプリッカ。
【請求項５】
前記ランセットを発射後にコック位置へ復帰させないための手段（１１，１６，１７）を更に含む、請求項１から４のいずれか１に記載のスキンプリッカ。
【請求項６】
前記ランセットを発射後にコック位置へ復帰させないための手段（１１，１６，１７）は前記ランセットと前記ハウジング間のラチエット装置である、請求項５に記載のスキンプリッカ。
【請求項７】
前記ランセットは先端が後方を指すバネフィンガ（１６）を有し、かつ前記ハウジングは前記バネフィンガと共働する歯（１１）を有し、前記ランセットの初期休止位置において前記バネフィンガは前記ハウジングの歯（１１）の先端に隣接し、かつ前記ランセットが後方に押されるときに前記バネフィンガが前記歯（１１）の先端上を摺動し、かつ前記ランセットが発射されるときに、前記バネフィンガ（１６）の先端（１７）は、前記ランセットの針の尖端が突出する前に前記歯（１１）を越えて前進し、かつ前記ランセットを復帰させて前記針の尖端を前記ハウジング内へ後退させるときに前記歯（１１）と当接する位置へ反動するように構成されている、請求項６に記載のスキンプリッカ。
【請求項８】
二つのバネフィンガ（１６）が、前記ランセットの両側に対称的に配置されていて、前記ハウジング内に対向配置された二つの歯（１１）と、それぞれ共働する、請求項７に記載のスキンプリッカ。
【請求項９】
前記ハウジング（２，３）上に少なくとも一つの前方に延びるバネフィンガを有し、かつ前記ランセット（５）上に対応する歯を有する、請求項７または８のスキンプリッカ。
【発明の詳細な説明】
【０００１】
本発明はスキンプリッカに関する。本発明は、ランセットがそのハウジング内で針のキャップによりコック位置へ押し戻され、針のキャップが捩じり引っ張る動作により除去されてランセットを使用できる状態にするタイプのスキンプリッカに関する。ランセットが発射されるときに、針の尖端が瞬時に突出し、かつランセットの反動が針の尖端をハウジングへ撤退させる。例えば、使い捨てキャップを使用して、ランセットがコック位置へ再度正しく押し戻されるのを阻止する装置が設けられている。そのように、スキンプリッカは一回使用の装置であって使用後に廃棄されるものでなければならない。
【０００２】
かかる再使用を阻止する従来手段はバネラチエット機構である。組立てられたときに、ランセットは、バネラチエット機構がコック位置への後方運動に対して無効となる中間位置にある。しかし、発射後に、ランセットは組立位置から前進し、かつ針の尖端が突出する前に爪と歯のクリックを可能する。このように、針の尖端を後退させることができようにランセットの反動を阻止する。しかし、ランセットを再コックするために何らかの試みがなされる場合に、ランセットはバネラチエット機構により拘束される。
【０００３】
不注意な使用者が装置をコックする前に針のキャップを全く簡単かつ偶発的に引っ張ることがあるので、この従来法には問題がある。針のキャップはバネラチエット機構が係合するようにランセットを前方へ引っ張ることができる。従って、拘束されてコックできないランセットを備えた未使用スキンプリッカが存在することになる。
【０００４】
本発明の課題は、偶発的誤用を阻止することにある。
【０００５】
本発明によれば、スキンプリッカは、細長いハウジング、前記ハウジング内のランセット、前記ハウジングの前方端に向けて前記ランセットを付勢するバネ手段、および前記ハウジングにより担持されたトリガを含み、前記ランセットはバネ手段の付勢に対して初期休止位置から後方へコック位置に向けて移動可能であり、前記ランセットはコック位置から解放されて針の尖端を瞬時に前記ハウジングの前方端に形成された貫通孔へ突出させ、前記トリガは、前記ランセットの初期休止位置のときに第一モードにおいて作動可能に前記ランセットと係合して前記ランセットの初期休止位置からの前方移動を制限するがコック位置への前記ランセットの後退を可能にし、かつ前記ランセットがコック位置のときに第二モードにおいて作動可能であって前記トリガの作動が前記ランセットを解放するまでコック位置に前記ランセットを保持する。
【０００６】
好適には、前記ランセットは、前記トリガとラチエット式作動により係合可能であり、前記ランセットがコック位置に移動するときに前記トリガ上に形成された歯を越えて前記トリガに係止する。前記トリガ上の歯（１０）は、前記ランセット上に形成された突起と共働して前記ランセットの初期休止位置から前方への移動を停止させるが、前記トリガが作動して前記ランセットを発射させるときに前記トリガ上の歯は前記突起から上昇して前記ランセットの前方移動を可能にする。
【０００７】
好適形態において、取外可能キャップが、初期に、前記ランセットの針の尖端を覆いかつ前記ハウジングの前方端の貫通孔を貫通していて、前記ランセットをその初期休止位置からコック位置へ押すことのできる手段として作用する。
【０００８】
前記ランセットを発射後にコック位置へ復帰させないための手段が設けられていてよい。至便には、前記ランセットを発射後にコック位置へ復帰させないための手段は前記ランセットと前記ハウジング間のラチエット装置である。
【０００９】
一実施形態において、前記ランセットは先端が後方を指すバネフィンガを有し、かつ前記ハウジングは前記バネフィンガと共働する歯を有し、前記ランセットの初期休止位置において前記バネフィンガは前記ハウジングの歯の先端に隣接し、かつ前記ランセットが後方に押されるときに前記バネフィンガが前記歯の先端上を摺動する。前記ランセットが発射されるときに、前記バネフィンガの先端は、前記ランセットの針の尖端が突出する前に前記歯を越えて前進し、かつ前記ランセットを復帰させて前記針の尖端を前記ハウジング内へ後退させるときに前記ハウジングの歯と当接する位置へ反動するように構成されている。このように、前記ランセットは拘束されてコック位置へ戻ることを阻止される。
【００１０】
好適には、二つのバネフィンガが、前記ランセットの両側に対称的に配置されていて、前記ハウジング内に対向配置された二つの歯と、それぞれ共働する。かかる対称的装置は、前記ランセットの組立てを容易にする。
【００１１】
前記バネフィンガおよび前記ランセットの配置を反対に配置でき、前記ハウジング上に少なくとも一つの前方に伸長したバネフィンガを有し、そして前記ランセット上に対応する歯を有する構成であってよい。
【００１２】
以下、理解を容易にするために、添付図面を参照して例示として本発明の一実施形態について説明する。
【００１３】
スキンプリッカ１は細長い箱様のハウジング２，３を有し、ハウジング２，３は薄い一体的ウエブ４により長手側の一つに沿って蝶番式に結合された対応する半割部２および３により形成される。ハウジング２，３はランセット５を収容し、ランセット５は、初期に、細長いキャップ７により覆われた尖端を有する針６を包囲する成形プラスチック本体を有する。半割部２および３の前方端には切欠き８が形成されている。半割部２および３は、結合することによりキャップ７が自由に移動できかつ装置が発射されるときに針の尖端が瞬時に突出する貫通孔を切欠き８により形成する。ランセット５は、ハウジング２，３の後端と、貫通孔８を有する反対端との間で作動する螺旋バネ（図示せず）により前方へ付勢されている。ランセット５の発射は半割部２と一体成形されたトリガ９の後端を押すことにより行なわれ、トリガ９はロッカ（rocker)タイプであって前方端にハウジングへ突出する歯１０を有する。
【００１４】
前記ランセット５はバネ手段の付勢に対して初期休止位置から後方へコック位置に向けて移動可能であり、前記ランセットはコック位置から解放されて前記ランセットの針の尖端を瞬時に前記ハウジングの前方端に形成された貫通孔８へ突出させるように構成されている。前記トリガ９は、前記ランセットの初期休止位置のときに第一モードにおいて作動可能に前記ランセットと係合して前記ランセットの初期休止位置からの前方移動を制限するがコック位置への前記ランセットの後退を可能にし、かつ前記ランセットがコック位置のときに第二モードにおいて作動可能であって前記トリガの作動が前記ランセットを解放するまでコック位置に前記ランセットを保持するように構成されている。
初期休止位置は組立後の組立位置であり、コック位置は発射準備位置を意味する。換言すれば、初期休止位置は駆動バネが圧縮されず、コック位置は駆動バネが圧縮された位置を示す。
【００１５】
前記ランセット５は、前記トリガ９とラチエット式作動により係合可能であり、前記ランセットがコック位置に移動するときに前記トリガ上に形成された歯１０を越えて前記トリガに係止する可能である。
【００１６】
前記トリガ上の歯１０は、前記ランセット上に形成された突起１３と共働して前記ランセットの初期休止位置から前方への移動を停止させるが、前記トリガが作動して前記ランセットを発射させるときに前記歯１０は前記突起１０から上昇して前記ランセットの前方移動を可能にする。
【００１７】
取外可能キャップ７が、初期に、前記ランセット５の針の尖端を覆いかつ前記ハウジング２，３，の前方端の貫通孔８を貫通していて、前記ランセットをその初期休止位置からコック位置へ押すことのできる手段として作用する。
【００１８】
前記ランセットを発射後にコック位置へ復帰させないための手段１１，１６，１７を更に含む。前記ランセットを発射後にコック位置へ復帰させないための手段１１，１６，１７は前記ランセットと前記ハウジング間のラチエット装置である。
【００１９】
前記ランセットは先端が後方を指すバネフィンガ１６を有し、かつ前記ハウジングは前記バネフィンガ１６と共働する歯１１を有し、前記ランセットの初期休止位置において前記バネフィンガは前記ハウジングの歯１１の先端に隣接し、かつ前記ランセットが後方に押されるときに前記バネフィンガが前記歯１１の先端上を摺動し、かつ前記ランセットが発射されるときに、前記バネフィンガの先端１７は、前記ランセットの針の尖端が突出する前に前記歯１１を越えて前進し、かつ前記ランセットを復帰させて前記針の尖端を前記ハウジング内へ後退させるときに前記前記ハウジングの歯１１と当接する位置へ反動するように構成されている。
【００２０】
図示された前記ハウジングの半割部２は側壁上に対向する二つの歯１１を有し、各歯１１は後側に浅いスロープを有しかつ前側に僅かな切欠きを有する。
【００２１】
二つのバネフィンガ１６が、前記ランセット５の両側に対称的に配置されていて、前記ハウジング内に対向配置された二つの歯１１と、それぞれ共働するように構成される。
【００２２】
バネフィンガ１６、およびバネフィンガに対応する歯１１は、前記ハウジング２，３上に少なくとも一つの前方に伸長したバネフィンガを有し、かつ前記ランセット５上に対応する歯を有する、図示形態と反対配置の構成であってよい。
【００２３】
ランセット５は針６の殆どを包囲する背骨（spine）１２を有する。長手の略中間で背骨１２は後方に尖端を向けた矢印頭部様の成形部１３に拡大した突起を有する。成形部、即ち、突起１３の前方には矩形板様の構造体を形成するウイング１４が設けられ、ウイング１４を横切る前縁には後方へ尖端を向けた矢印頭状部を有する他の成形部１５が設けられている。ウイング１４の外後コーナからバネフィンガ１６が後方へ延び、バネフィンガ１６はその先端１７で外方へ曲折している。背骨１２の後端には螺旋バネの前方端を設置するマッシュルーム形頭部１８がある。ランセット５は、装備理由から導入された小さい特徴部が概ね対称的に離隔していて、如何なる方法であるかを問わず、図１および２に示されたように、ハウジングに組立てられる。バネフィンガ１６の先端１７は歯１１の直ぐ背後にあり、かつトリガ９の歯１０は成形部、即ち、突起１３の直ぐ前にある。
【００２４】
使用者がキャップ７を取り外そうとする場合を仮定すると、捩じって引っ張ることにより使用者はランセット５を僅かに前方へシフトさせるであろうが、この前方移動は成形部、即ち、突起１３が歯１０と係合することにより制限される。バネフィンガ１６の先端１７は歯１１上に乗らない。従って、キャップ７は自由に動くが、スキンプリッカは使用不可能であり、キャップの再挿入およびランセットの押し戻しに問題は生じない。通常、当然ながら、使用者はキャップ７を取り外す前に押込む。
【００２５】
ランセット５が後方へ移動するときに、バネフィンガ１６は単に歯１１の先端上方を摺動するだけである。しかし、成形部１５が歯１０に達する時に、共働するウエッジ様面がトリガ９を傾斜させ、歯１０は成形部１５にスナップ係止して、図３および４に示されたように、ランセットを後方でコック位置に保持する。そこで、キャップ７は最後には除去され、スキンプリッカは皮膚に適用されかつトリガ９は付勢されてランセットを解放する。
発射によって、ランセットは図１および２の組立位置、即ち、初期休止位置を越えて前方へ突進し、先端１７が歯１１にスナップ係止するときにバネフィンガ１６が内方へ撓むようになる。これは針の尖端が突出する直前に発生する。歯１０は成形部１３から逸れて上昇保持され、かつそのようにしてランセット５の移動の最終部を妨害しない。針の尖端が突出した後には、ランセット５は戻らないが短距離だけ移動し、外方へ反動したバネフィンガの先端１７が歯１１と当接することにより移動を阻止される。このようにしてスキンプリッカは再使用不可能になる。
【図面の簡単な説明】
【図１】  組立時の初期休止位置のハウジング閉鎖前の本発明によるスキンプリッカの平面図である。
【図２】  図１のII-II線上の断面図である。
【図３】  開放したハウジング内のコック位置のスキンプリッカを示す平面図である。
【図４】  図３のIV-IV線上の断面図である。
【図５】  スキンプリッカのランセットを示す三つの図を示す。
【図１】
0004156925.tif 000002
【図２】
0004156925.tif 000003
【図３】
0004156925.tif 000004
【図４】
0004156925.tif 000005
【図５】
0004156925.tif 000006